(57)【特許請求の範囲】
【請求項１】
ライン形成用テープ地が逢着されたトレーニングシャツ又はトレーニングパンツのトレーニング衣服において、
ライン形成用テープ地は、トレーニングシャツにあっては前身頃生地及び後身頃生地と袖生地との逢着線、トレーニングパンツにあっては左右夫々の前身頃生地と後身頃生地との外側線上の逢着線に沿って配位されたものであり、
これらの生地の逢着線より端辺側の端地が衣服の表側に配位され、
ライン形成用テープ地が２枚の端地の表側に逢着線に沿って配位され、
このライン形成用テープ地が、２枚の端地の上に被せられた状態で、一方の生地と他方の生地のそれぞれに２枚の端地の外側で逢着されることにより、衣服の表裏において端地が外部に現れないことを特徴とするトレーニングシャツ又はトレーニングパンツのトレーニング衣服。
【発明の詳細な説明】
【０００１】
【発明の属する技術分野】
本願発明は、ライン形成用テープ地が逢着されたトレーニングシャツ又はトレーニングパンツのトレーニング衣服に関するものである。
【０００２】
【従来の技術】
一般に衣服は、２枚の生地を逢着線上で縫い合わせて製造されており、この生地の逢着線より端辺側の端地は、デザインの観点から、衣服の内側に配位されている。ところが、今日にあっては、小学校の児童に対する調査では、全児童の約２２％が、生後から調査時点までの間にアトピーであると診断されたことがあるとの調査結果も報告されているように、アトピー性皮膚炎等、皮膚の弱い人が増加する傾向にある。特に、肌の弱い児童や学生等が着用することが多いトレーニングパンツやトレーニングシャツ等の皮膚に直接触れる衣服にあっては、生地の縫製端である端地と皮膚との接触により、皮膚に炎症等の障害が発生したり悪化させたりするおそれがある。そのため、皮膚に対して刺激の少ない衣服の開発が望まれるが、現代の衣服である以上、デザイン性を無視することはできず、これを無視することは衣服の商品価値を無くしてしまうと言っても過言ではない。
【０００３】
【発明が解決しようとする課題】
しかして、本願発明は、皮膚への刺激の減少とデザイン性との両立し難い解決を同時に解決し得るライン形成用テープ地が逢着されたトレーニングシャツ又はトレーニングパンツのトレーニング衣服を提供せんとするものである。
【０００４】
【課題を解決するための手段】
本願発明は、ライン形成用テープ地が逢着されたトレーニングシャツ又はトレーニングパンツのトレーニング衣服において、ライン形成用テープ地は、トレーニングシャツにあっては前身頃生地及び後身頃生地と袖生地との逢着線、トレーニングパンツにあっては左右夫々の前身頃生地と後身頃生地との外側線上の逢着線に沿って配位されたものであり、これらの生地の逢着線より端辺側の端地が衣服の表側に配位され、ライン形成用テープ地が、２枚の端地の表側に逢着線に沿って配位され、このライン形成用テープ地が２枚の端地の上に被せられた状態で、一方の生地と他方の生地のそれぞれに、２枚の端地の外側で逢着されることにより、衣服の表裏において端地が外部に現れないことを特徴とするトレーニングシャツ又はトレーニングパンツのトレーニング衣服を提供する。
本願発明では、衣服の表裏において端地が外部に現れないため、皮膚への刺激が少ないものとできる。しかも、端地が衣服の表側に配位され、ライン形成用テープ地が２枚の端地の表側に逢着線に沿って配位されているため、衣服の表面側においても、衣服のデザインの一つの手法として用いられるライン形成用テープ地のみが現れ、デザインを向上させることはあってもデザイン性を損なうことはない。
さらに、一部の生地と生地との縫着構造に本願発明の衣服用生地の縫製構造を採用し、縫着線が衣服の裏側に位置する他の全ての生地と生地との縫着構造について、端地の上を糸でカバーリングする縫製構造とすることによって、衣服の裏側には、端地が一切現れることがない衣服を製造し得るものである。この衣服にあっては、本願発明の縫製構造と、糸によるカバーリングの縫製構造とを採用することによって、衣服の裏側には、端地が一切現れることがないようにしたものであり、より完全に着用者の肌を守ることができる。
【０００５】
以下、図面に基づき本願発明の実施の形態を説明する。図１の（Ａ）は本願発明の実施の形態に係る衣服用生地の縫製構造を採用した衣服（トレーニングシャツ）の正面図であり、（Ｂ）は同背面図であり、図２の（Ａ）は本願発明の実施の形態に係る衣服用生地の縫製構造を採用した衣服（トレーニングパンツ）の正面図であり、（Ｂ）は同側面図である。図３はこれらの衣服の縫製構造を示す一部切欠の斜視図である。
【０００６】
図１のトレーニングシャツは、前身頃生地１と後身頃生地２と袖生地３と衿生地４と胴回り生地５をミシンで逢着したものである。そして、これらの生地の逢着にあっては、逢着線より端辺側の端地は、何らかの構造によって直接人の肌に触れないように配慮されているが、本願発明の対象となる新たな縫製構造は、前身頃生地及び後身頃生地１，２と、袖生地３との逢着に採用されている。
【０００７】
図２のトレーニングパンツは、左右の前身頃生地６，７と左右の後身頃生地８，９をミシンで逢着して形成したものである。そして、これらの生地の逢着にあっては、逢着線より端辺側の端地は、何らかの構造によって直接人の肌に触れないように配慮されているが、本願発明の対象となる新たな縫製構造は、左右夫々の前身頃生地６，７と後身頃生地８，９との外側線上の逢着に採用されている。
【０００８】
この縫製構造は、図３に示すように、一方の生地１，２，６，７と他方の生地３，８，９とがミシン糸ｍにより縫製され、このミシン糸ｍが逢着線ｍとなる。この逢着線ｍより端辺側の端地１ａ，２ａ，６ａ，７ａと他方の端地３ａ，８ａ，９ａは、従来の通常の衣服では、衣服の裏側（即ち、肌と接触する側）に配位されるが、本願発明にあっては、衣服の表側ｆに配位されている。そして、ライン形成用テープ地ｔが２枚の端地の表側に逢着線に沿って配位されている。このライン形成用テープ地ｔは、一方の生地１，２，６，７と他方の生地３，８，９との夫々に、ミシン糸ｎで縫着されている。この一方の端地１ａ，２ａ，６ａ，７ａと他方の端地３ａ，８ａ，９ａは、ミシン糸ｍによる逢着線ｍから折り返され、一方の生地１，２，６，７と他方の生地３，８，９の夫々の上に重ねられ、その上にライン形成用テープ地ｔが被せられている。尚、図４に示すように、一方の端地１ａ，２ａ，６ａ，７ａと他方の端地３ａ，８ａ，９ａとを重ねて、これらの端地を一方の生地１，２，６，７と他方の生地３，８，９との何れか一方の上に重ねて、その上にライン形成用テープ地ｔを被せるようにしてもよい。図３、図４の何れの形態とするかは、生地やテープ地の種類、縫製の作業性、デザイン等を考慮して適宜選択し得るが、図４の場合には、端地を重ねる分、厚みが大きくなるものであり、これを嫌う場合には図３の構造を採用し、逆に、ラインを立体的に表現したい場合には、図４の形態を採用してもよい。
【０００９】
上記の縫製構造により、端地１ａ，２ａ，３ａ，６ａ，７ａ，８ａ，９ａが衣服の裏側（即ち、肌と接触する側）に現れることはなく、裏側ｂには、一方の生地１，２，６，７と他方の生地３，８，９とがミシン糸ｍのみで連続した状態で現れるため、皮膚への刺激は最も小さい構造を実現し得る。他方、衣服の表側ｆにあっても、端地１ａ，２ａ，３ａ，６ａ，７ａ，８ａ，９ａは、ライン形成用テープ地ｔで隠されるため、外部から見えず、衣服のデザインを害することもない。逆に、ライン形成用テープ地ｔは、衣服のデザインの向上させる。例えば、図２のトレーニングパンツでは、ライン形成用テープ地ｔが、胴部から脚部にかけての外側線上に配位されることとなり、脚部の長さを強調できる。また、図１のトレーニングシャツでは、腕の付け根にライン形成用テープ地ｔが現れるものであり、力強さを表現し得る。
【００１０】
この実施の形態における他の全ての縫着線ｍ１については、図５（Ａ）のような縫製構造を採ることによって、衣服全体において、端地が直接皮膚に接触しない構造となっている。即ち、縫着線ｍ１については、図５（Ａ）に示すように、一方の生地１０１と他方の生地１０２とをミシン糸１０３で縫着し、縫着した端辺側の端地１０４，１０５上を、糸１０６でカバーリングしている。より詳しくは、一方の生地１０１と他方の生地１０２と間を交互に連続して渡された糸１０６の下に、端地１０４，１０５を配位して、糸１０６で端地１０４，１０５を隠蔽した構造を採っている。この図５（Ａ）に示す他の部分の縫着線ｍ１の縫製構造は、端地１０４，１０５を裏側ｂに配位し、その裏側から糸１０６でカバーリングしているものであり、裏側ｂに端地１０４，１０５が来るが、糸１０６によりカバーリングされているため、直接端地１０４，１０５が肌に接触することはない。尚、上記の縫着線ｍ１に代えて、図５（Ｂ）に示すような、縫着線ｍ２を採用してもよい。この縫着線ｍ２では、端地１０４，１０５を表側に出して縫着し、その表側から糸１０６でカバーリングしている。従って、裏側には、端地がなく、双方の生地１０１，１０２のみがミシン糸１０３のみで連続した状態で現れるため、皮膚への刺激は最も小さい構造となる。
【００１１】
上記の各縫着線の縫製構造は、衣服における縫着線の位置等によって複数種類を選択して併用し得るものであり、特に、図３に示したライン形成用テープ地ｔを用いた縫製構造は、トレーニングシャツの前身頃生地１と後身頃生地２との逢着に採用する等、他の部分について適宜選択して採用してもよい。また、トレーニングシャツは、長袖タイプを図示したが、半袖タイプのものとして実施することもでき、トレーニングパンツは、長ズボンタイプを図示したが、半ズボンタイプのものとして実施することも当然可能である。また、上記の糸１０６等、縫製に際して用いる糸については、綿糸や、合成繊維の表面を綿で被覆したカバリング糸等、肌優しい素材を採用することが望ましい。さらに、他の肌に優しい衣服としての構造としては、品質表示のタグ１０を、衣服の表側に配位したり（図１，図２参照）、衣服の裏側に配位する場合には、柔らかい素材を用いている。また、衿生地４については、裏側を綿１００％の素材にしているものである。
【００１２】
以上のように、この実施の形態における衣服は、何れも肌面に刺激が少なく、アトピー対策に極めて有効な構造を備えたものである。この実施の形態では、体操服として実施しているが、体操服に限らず、広く種々の衣服の縫製構造に使用し得るものである。
【００１３】
【発明の効果】
以上、本願発明では、皮膚への刺激の減少とデザイン性との両立させたトレーニングシャツ又はトレーニングパンツのトレーニング衣服を提供することができたものであり、この衣服用生地の縫製構造によって、トレーニングシャツ又はトレーニングパンツという肌に直接触れる衣服にあっても、肌面に刺激が少なく、アトピー対策にも有効な衣服を提供することができるものである。
【図面の簡単な説明】
【図１】（Ａ）は本願発明の実施の形態に係る衣服用生地の縫製構造を採用した衣服（トレーニングシャツ）の正面図であり、（Ｂ）は同背面図である。
【図２】（Ａ）は本願発明の実施の形態に係る衣服用生地の縫製構造を採用した衣服（トレーニングパンツ）の正面図であり、（Ｂ）は同側面図である。
【図３】本願の衣服の縫製構造を示す一部切欠の斜視図である。
【図４】本願の衣服の縫製構造の変更例を示す一部切欠の斜視図である。
【図５】（Ａ）は本願の衣服用生地の縫製構造と組み合わせて実施するのに適した縫製構造を示す一部切欠の斜視図であり、（Ｂ）は同縫製構造の変更例を示す一部切欠の斜視図である。
【符号の説明】
１ 前身頃生地
２ 後身頃生地
３ 袖生地
４ 衿生地
５ 胴回り生地
６，７ 前身頃生地
８，９ 後身頃生地
ｍ ミシン糸（逢着線）
ｔ ライン形成用テープ地
【図１】
0003796392.tif 000002
【図２】
0003796392.tif 000003
【図３】
0003796392.tif 000004
【図４】
0003796392.tif 000005
【図５】
0003796392.tif 000006